(57)【特許請求の範囲】
【請求項１】
扉体の表面材を構成する分割板材の連結構造において、
扉体の見付け面を形成する室内側あるいは室外側の表面材は、複数枚の分割板材を連結することで構成されており、
各分割板材は、扉体の見付け面を構成する面部と、見込み方向に延出する立ち上がり部を有する折曲片と、を有し、隣位の分割板材は、前記面部同士を面一にして前記折曲片同士を連結することで連結されており、
連結される２つの折曲片において、一方の折曲片の立ち上がり部の先端には嵌合溝部が折曲形成され、他方の折曲片の立ち上がり部の先端には嵌入部が折曲形成されており、見込み方向から嵌合溝部に嵌入部を嵌入させることで、前記面部同士が面一で前記立ち上がり部同士が当接した状態で嵌合溝部と嵌入部とを嵌合状態とし、
前記一方の折曲片の立ち上がり部の先端の嵌合溝部と前記他方の折曲片の立ち上がり部の先端の嵌入部との嵌合状態を、嵌合状態にある当該折曲片を部分変形させて一方の折曲片が嵌合状態から外れる方向に移動することを規制する固定手段、あるいは、嵌合状態にある当該折曲片の当接状態にある当該立ち上がり部同士を止着する止着部材からなる固定手段、によって固定してなり、
前記２つの折曲片を、前記嵌合溝部と前記嵌入部とからなる嵌合手段と、当該嵌合手段による嵌合状態を固定する前記固定手段と、を用いて連結したことを特徴とする扉体の表面材を構成する分割板材の連結構造。
【請求項２】
前記固定手段は、
先端に嵌合溝部を備えた折曲片の長さ方向の所定部分において、嵌合溝部を含む先端側部位を切り欠いて形成された第１切り欠きと、
先端に嵌入部を備えた折曲片の長さ方向の所定部分において、嵌入部を含む先端側部位を長さ方向に間隔を存して二箇所切り欠いて形成した２つの第２切り欠き及び前記第２切り欠き間に残った嵌入部から形成された折り曲げ用係止片と、
を備え、
第１切り欠きと第２切り欠きとは、折曲片同士を嵌合させた時に対向する位置に形成されていると共に、第１切り欠きの幅寸法は、折り曲げ用係止片の幅寸法よりも大きく設定されており、
前記嵌合溝部に前記嵌入部が嵌入した嵌合状態において、折り曲げ用係止片を折り曲げて、第１切り欠きが形成された立ち上がり部に係止させることで、前記嵌合溝部と前記嵌入部との嵌合状態を固定する、
請求項１に記載の分割板材の連結構造。
【請求項３】
前記固定手段は、
先端に嵌合溝部を備えた折曲片の長さ方向の所定部分において、嵌合溝部を含む先端側部位を切り欠いてなる立ち上がり部と、
先端に嵌入部を備えた折曲片の長さ方向の所定部分において、嵌入部を含む先端側部位を切り欠いてなる立ち上がり部と、
前記先端側部位が切り欠かれた各立ち上がり部は当接状態にあり、当接状態にある先端側部位が切り欠かれた立ち上がり部同士を止着する止着部材と、
からなり、
前記嵌合溝部に前記嵌入部が嵌入した嵌合状態において、前記止着部材により前記当接状態にある先端側部位が切り欠かれた立ち上がり部同士を止着することで、前記嵌合溝部と前記嵌入部との嵌合状態を固定する、請求項１に記載の分割板材の連結構造。
【請求項４】
前記嵌合溝部はくびれ部を有しており、くびれ部の溝幅は嵌合溝部の溝奥よりも幅狭となっており、
前記嵌入部は、くびれ部の溝幅よりも幅広の寸法を有していると共に、先端に向かって漸次幅広となることで傾斜部が形成されており、
嵌合状態において、前記嵌合溝部のくびれ部が前記嵌入部の傾斜部に当接している、
請求項１乃至３いずれかに記載の分割板材の連結構造。
【発明の詳細な説明】
【技術分野】
【０００１】
本発明は、表面材を複数の板材から構成した扉体に係り、詳しくは、扉体の表面材を構成する分割板材の連結構造に関するものである。
【背景技術】
【０００２】
従来、ドアの見付け面を形成する表面材は、一枚の板材から構成されていたが、複数の分割板材を連結手段を用いて互いに連結して表面材を構成することで、ドアにデザイン性を付与する場合がある。例えば、このようなドアは特許文献１に記載されている。
【０００３】
ここで、このようなドアの防火性能を考えた時に、火災時の熱でドアが加熱されると、ドアの表面材を構成する部材が延びたり、変形したりして、分割板材同士の連結部が外れてしまうおそれがあり、防火性能を確保できなくなるおそれがある。
【特許文献１】特許第2969060号
【発明の開示】
【発明が解決しようとする課題】
【０００４】
本発明は、表面材を複数の板材から構成したドアにおいて、防火性能を確保することを目的とするものである。
【課題を解決するための手段】
【０００５】
かかる課題を達成するために本発明が採用した技術手段は、
扉体の表面材を構成する分割板材の連結構造において、
扉体の見付け面を形成する室内側あるいは室外側の表面材は、複数枚の分割板材を連結することで構成されており、
各分割板材は、扉体の見付け面を構成する面部と、見込み方向に延出する立ち上がり部を有する折曲片と、を有し、隣位の分割板材は、前記面部同士を面一にして前記折曲片同士を連結することで連結されており、
連結される２つの折曲片において、一方の折曲片の立ち上がり部の先端には嵌合溝部が折曲形成され、他方の折曲片の立ち上がり部の先端には嵌入部が折曲形成されており、見込み方向から嵌合溝部に嵌入部を嵌入させることで、前記面部同士が面一で前記立ち上がり部同士が当接した状態で嵌合溝部と嵌入部とを嵌合状態とし、
前記一方の折曲片の立ち上がり部の先端の嵌合溝部と前記他方の折曲片の立ち上がり部の先端の嵌入部との嵌合状態を、嵌合状態にある当該折曲片を部分変形させて一方の折曲片が嵌合状態から外れる方向に移動することを規制する固定手段、あるいは、嵌合状態にある当該折曲片の当接状態にある当該立ち上がり部同士を止着する止着部材からなる固定手段、によって固定してなり、
前記２つの折曲片を、前記嵌合溝部と前記嵌入部とからなる嵌合手段と、当該嵌合手段による嵌合状態を固定する前記固定手段と、を用いて連結したことを特徴とする。
【０００６】
1つの態様では、前記固定手段は、折曲片の少なくとも一部分を変形させるものである。折曲片の変形には、折曲片を折り曲げるもの、あるいは、当接している折曲片の立ち上がり部を凸状（凹状）に変形加工するもの、が例示される。また、前記固定手段は、リベットや螺子等の止着手段であってもよい。次に述べるように、折曲片の所定部位に切り欠きを形成した上で、折曲片の変形手段、止着手段を採用することが好ましい。
【０００７】
１つの態様では、前記固定手段は、先端に嵌合溝部を備えた折曲片の長さ方向の所定部分において、嵌合溝部を含む先端側部位を切り欠いて形成された第１切り欠きと、先端に嵌入部を備えた折曲片の長さ方向の所定部分において、嵌入部を含む先端側部位を長さ方向に間隔を存して二箇所切り欠いて形成した２つの第２切り欠き（切り欠きには、スリットのような切り込みも含まれる）及び前記第２切り欠き間に残った嵌入部から形成された折り曲げ用係止片と、を備え、第１切り欠きと第２切り欠きとは、折曲片同士を嵌合させた時に対向する位置に形成されていると共に、第１切り欠きの幅寸法は、折り曲げ用係止片の幅寸法よりも大きく設定されており、折り曲げ用係止片を、第１切り欠きが形成された立ち上がり部側に折り曲げて、当該立ち上がり部に係止させる。
【０００８】
１つの態様では、前記固定手段は、先端に嵌合溝部を備えた折曲片の長さ方向の所定部分において、嵌合溝部を含む先端側部位を切り欠いてなる立ち上がり部と、
先端に嵌入部を備えた折曲片の長さ方向の所定部分において、嵌入部を含む先端側部位を切り欠いてなる立ち上がり部と、前記先端側部位が切り欠かれた各立ち上がり部は当接状態にあり、当接状態にある先端側部位が切り欠かれた立ち上がり部を固定する手段と、からなる。立ち上がり部を固定する手段は、好適には、立ち上がり部を凸状（凹状）に変形加工するもの、または、リベットや螺子等の止着手段が例示される。
【０００９】
一つの好ましい態様では、嵌合溝部はくびれ部を有しており、くびれ部の溝幅は嵌合溝部の溝奥よりも幅狭となっており、くびれ部の溝入口側にはガイド片が形成されている。嵌入部は、くびれ部の溝幅よりも幅広の寸法を有しており、嵌合溝部と嵌入部とを見込み方向から嵌合させる時には、嵌入部が嵌合溝部のガイド片に案内されながら、くびれ部を押し広げながら溝奥に嵌入して嵌合状態となる。一つの態様では、嵌入部の幅寸法は、先端に向かって漸次幅広となっており、こうすることで、嵌合作業を容易にすると共に、嵌合状態が外れ難くなる。
【発明の効果】
【００１０】
本発明では、嵌合溝部と嵌入部との嵌合状態を、さらに、固定手段によって固定することで、火災時の熱で分割板材が変形したり延びたりした場合であっても、嵌合状態が外れることを防止し、防火性能を確保することができる。
【００１１】
請求項２に記載したものでは、折り曲げ用係止片を折り曲げて、第１切り欠きが形成された立ち上がり部に係止させることで、折り曲げられた折り曲げ用係止片によって、連結された２つの折曲片の一方が嵌合状態が外れる方向に移動することが規制される。
【００１２】
請求項３に記載したものでは、折曲片の先端側に折曲形成された嵌合溝部、嵌入部を切り欠いてフラット状の立ち上がり部のみとすることで、立ち上がり部を固定する手段（ＴＯＸガンシステムの使用や、リベットの鋲着手段）の適用が容易となる。先端側を切り欠くことなく、嵌合溝部、嵌入部を残したままで、立ち上がり部を固定する手段も採用し得るが、特に、折曲片の見込み方向の寸法が十分でない場合には、嵌合溝部、嵌入部が邪魔となって、立ち上がり部を固定する手段の適用が困難となる。
【発明を実施するための最良の形態】
【００１３】
図１は、本発明に係るドア装置の正面図であり、左図は、室外側から見た正面図、右図は、室内側から見た正面図である。ドア装置は、建物開口部を形成するドア枠１と、丁番２を用いて吊元側をドア枠１に対して回動可能に設けてなる扉体３と、からなる。扉体３は、四周枠を形成するフレーム材４ａ，４ｂ，４ｃ，４ｄと、室内外に面する扉体の見付け面を形成する表面材５，６と、内外の表面材５，６間に設けられたコア材７と、からなる。扉体３の上部、下部、戸尻側縦部を形成するフレーム材４ａ，４ｂ，４ｃは、対向する見付け片と見込み片とから断面視コ字形状を有している。戸先側縦部を形成するフレーム材４ｄは、対向する見付け片と見込み片とから断面視略コ字形状を有しているが、一方の見付け片は見付け方向に突出しており、当該突出部がドア枠１の図示しない戸当たり部に当接するようになっている。
【００１４】
扉体３の室内側見付け面を形成する表面材５は、一枚の板材から構成されており、板材の周縁部がフレーム材４ａ，４ｂ，４ｃ，４ｄに貼着してある。扉体３の室外側面部を形成する表面材６は、複数の板材を連結することで構成されている。扉体３は、表面材５，６と、フレーム材４ａ，４ｂ，４ｃ，４ｄと、コア材７とを、例えば、ホットメルト型接着剤を用いて、加熱・加圧処理することで一体化することで形成される。
【００１５】
図示の例では、室外側の表面材６は、６枚の板材６０，６１，６２，６３，６４，６５を連結することで形成されている。各分割板材６０，６１，６２，６３，６４，６５は、扉体３の室外側見付け面を形成する面部と、面部の端部から室内側表面材５に向かって見込み方向（扉体３の厚さ方向）に延出する折曲片と、を有している。互いに隣接する分割板材の折曲片において、一方の分割板材の折曲片は、見込み方向に延出する立ち上がり部と、立ち上がり部の先端側部位に折曲形成された嵌合溝部と、を有している。他方の分割板材の折曲片は、見込み方向に延出する立ち上がり部と、立ち上がり部の先端側部位に折曲形成された嵌入部と、を有している。嵌合溝部に嵌入部を押し込むようにして、一方の分割板材の折曲片に対して他方の分割板材の折曲片を見込み方向に嵌合する。以下において、嵌合手段について、互いに連結される隣位の２枚の分割板材を用いて詳細に説明する。
【００１６】
図４下図（右）に示すように、嵌合溝部Ａが形成された折曲片８０は、分割板材の面部８１に対して垂直状に立ち上がり形成されており、見込み方向（扉体の厚さ方向）に延出する立ち上がり部８００を有している。折曲片８０は、面部８１を略直角に折曲することで形成されており、折曲片８０の先端側部位を、面部８１とは反対側に、折り返すように折曲することで、立ち上がり部８００の先端側に嵌合溝部Ａが形成されている。より具体的には、嵌合溝部Ａを形成する先端側部位は、立ち上がり部８００の室内側端部に連続状に一体形成され、室内側に向かって膨出する湾曲部８０１と、湾曲部８０１の端部から室外側かつ立ち上がり部８００に向かって傾斜状に延出する第１傾斜部８０２と、第１傾斜部８０２の端部から室外側かつ立ち上がり部８００から離隔するように傾斜状に延出する第２傾斜部８０３と、から構成されている。第１傾斜部８０２と第２傾斜部８０３とから嵌合溝部Ａの溝幅を絞るくびれ部８０４が形成されており、くびれ部８０４と立ち上がり部８００との溝幅Ｗ１は、湾曲部８０１内の溝奥の溝幅よりも幅狭となっている。また、溝幅はくびれ部８０４から第２傾斜部８０３の先端に向かって漸次拡開しており、第２傾斜部８０３は嵌入部Ｂを案内するガイドとして機能する。
【００１７】
図４下図（左）に示すように、嵌入部Ｂが形成された折曲片９０は、分割板材の面部９１に対して垂直状に立ち上がり形成されており、見込み方向（扉体の厚さ方向）に延出する立ち上がり部９００を有している。折曲片９０は、面部９１を略直角に折曲することで形成されており、折曲片９０の先端側部位を、面部９１側に、折り返すように折曲することで、立ち上がり部９００の先端側に嵌入部Ｂが形成されている。より具体的には、嵌入部Ｂを形成する先端側部位は、立ち上がり部９００の室内側端部に連続状に一体形成されており、室内側に向かって膨出する湾曲部９０１と、湾曲部９０１の端部から室外側かつ立ち上がり部９００に向かって傾斜状に延出する傾斜部９０２と、を有し、傾斜部９０２の先端は立ち上がり部９００に接触している。嵌入部Ｂの幅寸法は、立ち上がり部９００の先端側に向かって漸次大きくなっている。湾曲部９０１の幅寸法Ｗ２は、嵌合溝部Ａの溝幅Ｗ１よりも大きく、かつ、嵌合溝部Ａの溝奥（湾曲部９０１内）の溝幅よりも小さい寸法となっている。
【００１８】
図示の例では、嵌入部Ｂが形成された折曲片９０の高さ寸法は、嵌合溝部Ａが形成された折曲片８０の湾曲部８０１の内側までの高さ寸法と略同じであり、折曲片９０の嵌入部Ｂを、折曲片８０の嵌合溝部Ａに対して、見込み方向に押し込んで嵌入させると、嵌入部Ｂの先端の湾曲部９０１が嵌合溝部の第２傾斜部８０３に案内されながら、湾曲部９０１、傾斜部９０２が溝幅Ｗ１を押し広げながら嵌合溝部Ａ内に進入していき、湾曲部９０１の外周面が湾曲部８０１の内周面に当接して嵌合状態となり、この時、面部８１，９１が略面一となる。この状態において、折曲片８０の立ち上がり部８００と折曲片９０の立ち上がり部９００が密着当接していると共に、くびれ部８０４と当接している部位における嵌入部Ｂの幅寸法Ｗ３は、溝幅Ｗ１よりも若干大きい寸法を有しており、嵌入部Ｂと嵌合溝部Ａとの嵌合状態において、溝幅Ｗ１は若干押し広げられた状態となっており、嵌入部Ｂと嵌合溝部Ａとは弾性的に嵌合している。
【００１９】
図４上図に示すように、嵌合状態において、嵌合溝部Ａのくびれ部８０４が嵌入部Ｂの傾斜部９０２に当接しており、嵌入部Ｂの幅寸法は、折曲片９０の先端に向かって漸次大きくなっているので、嵌合溝部Ａに対する嵌入部Ｂの嵌入作業が円滑であると共に、嵌合溝部Ａに対して嵌入部Ｂが外れる方向に移動しようとした場合には、傾斜部９０２が抵抗となって嵌合状態が外れることを規制する。このように、嵌合溝部Ａ、嵌入部Ｂを用いた嵌合手段を採用することで、分割板材同士を簡単かつ強固に連結することができる。しかしながら、火災時において、火災の熱で扉体３が加熱されると、表面材５，６が延びたり変形したりして、嵌合溝部Ａと嵌入部Ｂとの嵌合状態が外れてしまうおそれがある。そこで、本発明では、火災時の熱によって表面材５，６が延びたり変形したりしても嵌合状態が外れることを防止し、防火性能を確保できる分割板材の連結構造を提供する。
【００２０】
本発明では、嵌合溝部と嵌入部との嵌合状態を、さらに、固定手段によって固定する。1つの態様では、前記固定手段は、折曲片の少なくとも一部分を変形させるものである。折曲片の変形には、折曲片を折り曲げるもの、あるいは、当接している折曲片の立ち上がり部を凸状（凹状）に変形加工するもの、が例示される。また、前記固定手段は、リベットや螺子等の止着手段であってもよい。固定手段は、各分割板材の寸法にもよるが、折曲片の長さ方向に複数設けることが望ましい。以下に、固定手段の好ましい態様について詳述する。
【実施例１】
【００２１】
本発明に係る連結構造の実施例１を図５乃至図１０に基づいて説明する。図５は、折曲片８０の部分図であり、折曲片８０の長さ方向の所定部位には、凹状の切り欠きＣ１が形成されている。切り欠きＣ１の折曲片８０の長さ方向の寸法（切り欠きＣ１の幅寸法）をＬ１、立ち上がり部８００の延出方向（見込み方向）の深さ寸法をＤ１とする。長さ寸法Ｌ１は、人の指が入る程度の大きさを有している。深さ寸法Ｄ１は、少なくとも、立ち上がり部８００の先端側に形成された嵌合溝部Ａ全体を含む程度の深さを有している。図示の例では、立ち上がり部８００において、傾斜部８０３に対向する部位よりもさらに基端側の位置Ｐ１まで切り欠かれている。切り欠きＣ１を形成することで、先端側が切り欠かれた立ち上がり部８００Ａが形成される。
【００２２】
図６は、折曲片９０の部分図であり、折曲片９０の長さ方向の所定部位には、２つの凹状の切り欠きＣ２がその間に嵌入部Ｂ´を形成するように連続して形成されている。２つの切り欠きＣ２と嵌入部Ｂ´を含む折曲片９０の長さ方向の寸法（２つの切り欠きＣ２と嵌入部Ｂ´を含む幅寸法）をＬ２、立ち上がり部９００の延出方向（見込み方向）の深さ寸法をＤ２とする。長さ寸法Ｌ２は、人の指が入る程度の大きさを有しており、一つの態様では、長さ寸法Ｌ１と同じ寸法である。したがって、切り欠きＣ１の幅寸法Ｌ１は、嵌入部Ｂ´の幅寸法よりも大きく設定されている。深さ寸法Ｄ２は、少なくとも、立ち上がり部９００の先端側に形成された嵌入部合Ｂ全体を含む程度の深さを有している。図示の例では、立ち上がり部９００において、位置Ｐ２まで切り欠かれている。
【００２３】
切り欠きＣ１、切り欠きＣ２及び嵌入部Ｂ´は、折曲片８０の嵌合溝部Ａと折曲片９０の嵌入部Ｂとの嵌合状態において、互いに対向する位置に予め形成される。図７は、嵌合状態において、切り欠きＣ１、切り欠きＣ２及び嵌入部Ｂ´を示す図である。嵌入部Ｂ´は折り曲げ用係止片を構成しており、上図の状態から、下図に示すように、指等で嵌入部Ｂ´を切り欠きＣ１が形成されている立ち上がり部８００Ａ側に折り曲げて、嵌入部Ｂ´の下端側の立ち上がり部９００と折り曲げられた嵌入部Ｂ´とで立ち上がり部８００Ａを挟むようにして、立ち上がり部８００Ａに係止させる。嵌入部Ｂ´を折り曲げることで形成された湾曲部９０３は、先端側が切り欠かれた立ち上がり部８００Ａの上端（すなわち、切り欠きＣ１の底の位置Ｐ１）に覆い被さるように被さることで、折曲片９０が折曲片８０に対して嵌合状態から外れる方向に移動しようとすると、湾曲部９０３が立ち上がり部８００Ａの上端に当接して、かかる移動が規制される。図７上図から明らかなように、密着当接している立ち上がり部８００，９００において、切り欠きＣ２の底の位置Ｐ２は、切り欠きＣ１の底の位置Ｐ１よりも深くなっており、嵌入部Ｂ´の基端側を立ち上がり部８００Ａの上端（Ｐ１）に当接させながら折り曲げることで、折り曲げ作業を容易にしている。
【実施例２】
【００２４】
本発明に係る連結構造の実施例２を図１１乃至図１６に基づいて説明する。図１１は、折曲片８０の部分図であり、折曲片８０の長さ方向の所定部位には、凹状の切り欠きＣ３が形成されている。切り欠きＣ３の長さ方向の寸法をＬ３、立ち上がり部８００の延出方向（見込み方向）の深さ寸法をＤ３とする。先端側が切り欠かれた立ち上がり部８００Ａの上端側の切り欠きＣ３に近接する部位には、リベットＲを鋲着するための孔Ｈが形成されている。長さ寸法Ｌ３は、リベットＲの鋲着が可能な程度の大きさを有している。図示の例では、嵌合溝部Ａにおいて、立ち上がり部８００の先端側の湾曲部８０１より先の部位、すなわち、立ち上がり部８００の先端位置Ｐ３まで切り欠かれており、深さ寸法Ｄ３は、先端位置Ｐ３までの深さとなっている。
【００２５】
図１２は、折曲片９０の部分図であり、折曲片９０の長さ方向の所定部位には、凹状の切り欠きＣ４が形成されている。切り欠きＣ４の長さ方向の寸法をＬ４、立ち上がり部９００の延出方向（見込み方向）の深さ寸法をＤ４とする。先端側が切り欠かれた立ち上がり部９００Ａの上端側の切り欠きＣ４に近接する部位には、リベットＲを鋲着するための孔Ｈが形成されている。長さ寸法Ｌ４は、リベットＲの鋲着が可能な程度の大きさを有している。図示の例では、嵌入部Ｂにおいて、立ち上がり部９００の先端側の湾曲部９０１より先の部位、すなわち、立ち上がり部９００の先端位置Ｐ４まで切り欠かれており、深さ寸法Ｄ４は、端位置Ｐ４までの深さとなっている。
【００２６】
切り欠きＣ３、切り欠きＣ４は、折曲片８０の嵌合溝部Ａと折曲片９０の嵌入部Ｂとの嵌合状態において、互いに対向する位置に形成されており、図１３に示すように、立ち上がり部８００、９００にそれぞれ形成された孔Ｈの位置も一致している。折曲片８０，９０において、フラット状の立ち上がり部８００，９００のみを残し、その先の嵌合溝部Ａ、嵌入部Ｂを切り欠くことで、密着当接した立ち上がり部８００，９００に対して、リベットＲの鋲着作業を容易に行えるようにしている。
【実施例３】
【００２７】
実施例３は、嵌合部の固定手段を除いて、実施例２と同じである。図１７に示すように、折曲片８０，９０において、フラット状の立ち上がり部８００，９００のみを残し、その先の嵌合溝部Ａ、嵌入部Ｂを切り欠くことで、先端側が切り欠かれた立ち上がり部８００Ａ，９００Ａに対して、これらが密着当接した状態で一体として変形加工Ｔを施す。変形加工は、一つの好ましい態様では、ＴＯＸガンシステムを用いたトックス加工である。
【産業上の利用可能性】
【００２８】
本発明は、表面材を複数の板材から構成したドアに利用することが可能である。
【図面の簡単な説明】
【００２９】
【図１】左図はドア装置の室外側正面図、右図はドア装置の室内側正面図である。
【図２】扉体の一部省略縦断面図である。
【図３】扉体の一部省略横断面図である。
【図４】上図は、嵌合溝部を有する折曲片と嵌入部を有する折曲片との嵌合状態を示す図、下図（左）は、嵌入部を有する折曲片を示す図、下図（右）は、嵌合溝部を有する折曲片を示す図である。
【図５】嵌合溝部を有する折曲片に形成された切り欠きを説明する図である（実施例１）。
【図６】嵌入部を有する折曲片に形成された切り欠きを説明する図である（実施例１）。
【図７】上図は、嵌合状態において、切り欠き部位を示す図、下図は、上図の状態から嵌入部を折り曲げた状態を示す図である。
【図８】嵌合溝部を有する折曲片、嵌入部を有する折曲片の部分斜視図である。
【図９】図７下図に対応する斜視図である。
【図１０】図７下図に対応する斜視図である。
【図１１】嵌合溝部を有する折曲片に形成された切り欠きを説明する図である（実施例２）。
【図１２】嵌入部を有する折曲片に形成された切り欠きを説明する図である（実施例２）。
【図１３】切り欠き部位において、折曲片同士をリベットで固定した状態を示す図である。
【図１４】図１３に対応する斜視図である。
【図１５】図１３に対応する斜視図である。
【図１６】図１３に対応する平面図である。
【図１７】切り欠き部位において、折曲片同士を変形加工して固定した状態を示す図である。
【符号の説明】
【００３０】
３  扉体
８０  折曲片
８００  立ち上がり部
Ａ    嵌合溝部
８００Ａ  先端側の嵌合溝部が切り欠かれた立ち上がり部
９０  折曲片
９００  立ち上がり部
Ｂ    嵌入部
Ｂ´  先端側の嵌入部に形成された２つの切り欠き間に形成された嵌入部（折り曲げ用係止片）
【図１】
0004812098.tif 000002
【図２】
0004812098.tif 000003
【図３】
0004812098.tif 000004
【図４】
0004812098.tif 000005
【図５】
0004812098.tif 000006
【図６】
0004812098.tif 000007
【図７】
0004812098.tif 000008
【図１１】
0004812098.tif 000009
【図１２】
0004812098.tif 000010
【図１３】
0004812098.tif 000011
【図１７】
0004812098.tif 000012
【図８】
0004812098.tif 000013
【図９】
0004812098.tif 000014
【図１０】
0004812098.tif 000015
【図１４】
0004812098.tif 000016
【図１５】
0004812098.tif 000017
【図１６】
0004812098.tif 000018